(57)【要約】【課題】  支持台により第二レールを支えられるスライドレールキットを提供する。【解決手段】  スライドレールキット２０は第一レール２２、第二レール２８、ブラケット台２４、支持台２６、接触部材を有する。第二レール２８は第一レール２２に可動するように連接され、第一レール２２に縦方向に相対して移動する。ブラケット台２４は第一レール２２に連接する。支持台２６はブラケット台２４に可動するように取り付けられる。接触部材３０８は第二レール２８に固定し、且つ接触部３１０を有する。支持台２６は第一特徴部３１８を有し、接触部材３０８の接触部３１０に対応する。第二レール２８が第一レール２２に対して引き出されると、支持台２６は接触部材３０８に連動されて移動し、支持台２６は第二レール２８を支持できる。【選択図】  図１０
2016219775.tif 000002
【特許請求の範囲】
【請求項１】
第一レール、ブラケット台、支持台、および第二レールを備え、
前記第一レールには、縦方向通路が形成されており、
前記ブラケット台は、前記第一レールに連接されており、
前記支持台は、前記ブラケット台に可動するように取り付けられており、壁部、及び横方向に前記壁部に連接する少なくとも一つの支持部を有し、前記壁部と前記支持部との間に、前記第一レールの縦方向通路に対応する支持通路が形成されており、
前記第二レールは、前記第一レールに可動するように連接されており、前記第一レールに縦方向に相対して移動可能であり、
前記第二レールが前記第一レールに対して移動し、前記第一レールの縦方向通路及び前記支持台の支持通路を通過すると、前記支持台の前記支持部は、前記第二レールを支持することを特徴とするスライドレールキット。
【請求項２】
少なくとも一つの連接部材をさらに備え、
前記ブラケット台は、少なくとも一つの縦方向槽をさらに有し、
前記連接部材は、頭部と前記頭部に連接する連接部を有し、前記連接部が、前記支持台の前記壁部に連接する少なくとも一つの縦方向槽を貫通し、且つ前記頭部が、前記ブラケット台の片側に遮られることを特徴とする請求項１に記載のスライドレールキット。
【請求項３】
前記支持台は、前記壁部の同側方向の二つの位置にそれぞれ横方向に連接されている一対の前記支持部を有し、前記壁部と一対の前記支持部とが、前記支持通路を共同で形成し、
前記第二レールは、上壁、下壁、及び前記上壁と前記下壁との間に延伸する側壁を有し、
前記第二レールが前記支持台の支持通路内で可動すると、前記第二レールの前記上壁と前記下壁は、前記支持台の一対の前記支持部に対応することを特徴とする請求項１に記載のスライドレールキット。
【請求項４】
前記支持台の少なくとも一つの前記支持部に対応して取り付けられる少なくとも一つの支持部材をさらに備え、
前記第二レールが前記支持台の支持通路内で可動すると、前記第二レールは、前記支持部材に接触し、前記支持台を連動させ前記ブラケット台に対して移動させ、且つ前記支持部材が前記第二レールを支持することを特徴とする請求項１に記載のスライドレールキット。
【請求項５】
前記第二レールに固定するように接触する接触部材をさらに備え、
前記接触部材は、接触部を有し、
前記支持台は、前記接触部材の接触部に対応する第一特徴部を有し、
前記第二レールが、前記第一レールに対して、第一延伸位置から第二延伸位置へと移動すると、前記支持台は、前記接触部材と連動し、前記ブラケット台に対して移動し、
前記支持台は、前記第二レールに予め設置されている接触部に対応する第二特徴部をさらに有し、
前記第二レールが、前記第二延伸位置から、前記第一レールに対して閉じられると、前記第二レールの接触部は、前記支持台の第二特徴部に接触し、前記支持台は前記第二レールにより、前記ブラケット台に対して移動することを特徴とする請求項１に記載のスライドレールキット。
【請求項６】
前記第二レールに固定するように接触する接触部材をさらに備え、
前記接触部材は、接触部を有し、
前記支持台は、第一特徴部を有し、前記第一特徴部が、相互に対応する第一端及び第二端を有し、
前記第一特徴部の第一端は、前記接触部材の接触部に対応し、
前記第一特徴部の第二端は、前記第二レールに予め設置されている接触部に対応することを特徴とする請求項１に記載のスライドレールキット。
【請求項７】
前記ブラケット台は、上壁、下壁及び側壁を有し、前記上壁と前記下壁との間に、側壁が延伸しており、
前記支持台は、第一支持本体及び第二支持本体を有し、前記第一支持本体が、一対の湾曲部及び本体部を有し、
前記本体部は、一対の前記湾曲部の間で延伸しかつ一対の前記湾曲部を連接し、前記ブラケット台の側壁に接触し、
一対の前記湾曲部は、前記ブラケット台の前記上壁及び前記下壁を可動するように覆い、
前記第二支持本体は、前記第一支持本体に固定するように連接されており、前記第一レールの縦方向通路に対応することを特徴とする請求項１に記載のスライドレールキット。
【請求項８】
第一レール、ブラケット台、支持台、および、第二レールを備え、
前記第一レールは、上壁、下壁、及び前記上壁と前記下壁との間で延伸する側壁を有し、前記上壁、前記下壁、及び前記側壁が、縦方向通路を共同で形成し、
前記ブラケット台は、前記第一レールの前記側壁に連接されており、
前記支持台は、前記ブラケット台に可動するように取り付けられており、壁部、及び横方向に前記壁部に連接する少なくとも一つの支持部を有し、前記壁部と少なくとも一つの前記支持部との間に、前記第一レールの縦方向通路に対応する支持通路が形成されており、
前記第二レールは、前記第一レールに可動するように連接されており、縦方向に前記第一レールに相対し、閉位置と延伸位置との間で移動し、
前記第二レールは、前記第一レールに対して、前記閉位置から前記延伸位置まで移動する過程において、前記第一レールの縦方向通路及び前記支持台の支持通路を貫通し、前記支持台の少なくとも一つの前記支持部により、前記第二レールを支持することを特徴とするスライドレールキット。
【請求項９】
シャーシを、第一ラック柱と第二ラック柱を有するラックに取り付けるのに用いられるスライドレールキットであって、
第一レール、ブラケット台、支持台、第二レール、および、第三レールを備え、
前記第一レールは、上壁、下壁、及び前記上壁と前記下壁との間に延伸する側壁を有し、前記上壁、前記下壁、及び前記側壁が、縦方向通路を共同で形成し、
前記ブラケット台は、前記第一レールの前記側壁に連接されており、第一端部、および、前記第一端部に相対する第二端部を有し、前記第一端部と前記第二端部に第一ブラケットと第二ブラケットがそれぞれ取り付けられており、前記第一ブラケットと前記第二ブラケットが、前記第一ラック柱と前記第二ラック柱にそれぞれ取り付けられており、
前記支持台は、前記ブラケット台に可動するように取り付けられており、壁部、及び横方向に前記壁部に連接する少なくとも一つの支持部を有し、前記壁部と少なくとも一つの前記支持部との間に、前記第一レールの縦方向通路に対応する支持通路が形成されており、
前記第二レールは、前記第一レールに可動するように連接されており、縦方向に前記第一レールに対して移動し、前記第一レールの縦方向通路及び前記支持台の支持通路を貫通し、前記支持台の少なくとも一つの前記支持部により、前記第二レールが支持されており、
前記第三レールは、前記第二レールに対して縦方向に移動し、前記シャーシに取り付けられていることを特徴とするスライドレールキット。
【請求項１０】
前記シャーシは、第一部分と第二部分を有し、
前記第一部分は、前記第二部分の幅より大きい幅を有し、
前記第三レールは、前記シャーシの前記第二部分の側辺に取り付けられていることを特徴とする請求項９に記載のスライドレールキット。
【発明の詳細な説明】
【技術分野】
【０００１】
本発明はスライドレールキットに関する。
【背景技術】
【０００２】
一般には、ラック式サーバをシャーシ（ｃｈａｓｓｉｓ）に取り付け、シャーシ（ｃｈａｓｓｉｓ）をスライドレールキットによりラック（ｒａｃｋ）に架設することで、サーバをラックに取り付ける作業が完了する。
【０００３】
現有する技術では、図１に示すとおり、スライドレールキット１００は第一レール１０２、第二レール１０４、及び第三レール１０６を有する。
第二レール１０４と第三レール１０６とは、それぞれ第一レール１０２に対して移動し延伸位置に位置される。
これにより、スライドレールキット１００は、延伸展開の状態となる。
しかし、第二レール１０４と第三レール１０６とがそれぞれ第一レール１０２に対して延伸位置に位置される時、第二レール１０４の部分レール段１０８は、第一レール１０２に支持されていない。
これにより、第三レール１０６が電子設備のシャーシに取り付けられる時、第二レール１０４の荷重能力は、無視できない重要な課題である。
【先行技術文献】
【特許文献】
【０００４】
【特許文献１】米国特許出願公開第２０１４／０２１７０４９Ａ１号明細書
【発明の概要】
【発明が解決しようとする課題】
【０００５】
本発明は、上述の問題に鑑みてなされたものであり、支持台を有し、スライドレールキットのレール部材を支持するスライドレールキットを提供する。
【課題を解決するための手段】
【０００６】
本発明によるスライドレールキットは、第一レール、ブラケット台、支持台、及び第二レールを有する。
第一レールには、縦方向通路を形成する。
ブラケット台は、第一レールに連接する。
支持台は、ブラケット台に可動するように取り付けられ、支持台は、壁部、及び横方向に壁部に連接する少なくとも一つの支持部を有する。
壁部と少なくとも一つの支持部との間には、第一レールの縦方向通路に対応する支持通路を形成する。
第二レールは、第一レールに可動するように連接され、第一レールに縦方向に相対して移動する。
第二レールが第一レールに対して移動し、第一レールの縦方向通路及び支持台の支持通路を通過すると、支持台の少なくとも一つの支持部は、第二レールを支持できる。
【０００７】
本発明の別の態様によるスライドレールキットは、第一レール、ブラケット台、支持台、及び第二レールを有する。
第一レールは、上壁、下壁、及び上壁と下壁との間に延伸する側壁を有する。
上壁、下壁、及び側壁は、縦方向通路を共同で形成する。
ブラケット台は、第一レールの側壁に連接する。
支持台は、ブラケット台に可動するように取り付けられ、支持台は、壁部、及び横方向に壁部に連接する少なくとも一つの支持部を有する。
壁部と少なくとも一つの支持部との間には、第一レールの縦方向通路に対応する支持通路を形成する。
第二レールは、第一レールに可動するように連接され、縦方向に第一レールに相対し、閉位置と延伸位置との間で移動する。
第二レールが、第一レールに対して、閉位置から延伸位置まで移動する過程において、第二レールは、第一レールの縦方向通路及び支持台の支持通路を貫通し、支持台の少なくとも一つの支持部により、第二レールを支持する。
【０００８】
本発明の別の態様によるスライドレールキットは、シャーシをラックに取り付けられるために用いられる。
ラックは、第一ラック柱と第二ラック柱を有する。
スライドレールキットは、第一レール、ブラケット台、支持台、第二レール、及び第三レールを有する。
第一レールは、上壁、下壁、及び上壁と下壁との間に延伸する側壁を有する。
上壁、下壁、及び側壁が、縦方向通路を共同で形成する。
ブラケット台は、第一レールの側壁に連接する。
ブラケット台は、第一端部と第一端部に相対する第二端部を有する。
第一端部と第二端部に隣接し、第一ブラケットと第二ブラケットをそれぞれ取り付ける。
第一ブラケットと第二ブラケットは、第一ラック柱と第二ラック柱にそれぞれ取り付けられる。
支持台は、ブラケット台に可動するように取り付けられ、支持台は、壁部、及び横方向に壁部に連接する少なくとも一つの支持部を有する。
壁部と少なくとも一つの支持部との間には、第一レールの縦方向通路に対応する支持通路を形成する。
第二レールは、第一レールに可動するように連接され、縦方向に第一レールに対して移動し、第一レールの縦方向通路及び支持台の支持通路を貫通し、支持台の少なくとも一つの支持部により、第二レールを支持する。
第三レールは、第二レールに対して縦方向に移動し、第三レールをシャーシに取り付ける。
【０００９】
最も好ましくは、ブラケット台は、少なくとも一つの縦方向槽をさらに有する。
スライドレールキットは、少なくとも一つの連接部材をさらに有する。
少なくとも一つの連接部材は、頭部、頭部に連接する連接部を有し、連接部は、支持台の壁部に連接する少なくとも一つの縦方向槽を貫通し、且つ頭部は、ブラケット台の片側に遮られる。
【００１０】
最も好ましくは、支持台は、壁部の同側方向の二つの位置にそれぞれ横方向に連接される一対の支持部を有し、壁部と一対の支持部とは、支持通路を共同で形成する。
第二レールは、上壁、下壁、及び上壁と下壁との間に延伸する側壁を有する。
第二レールが支持台の支持通路内で可動すると、第二レールの上壁と下壁は、支持台の一対の支持部に対応する。
【００１１】
最も好ましくは、スライドレールキットは、支持台の少なくとも一つの支持部に対応して取り付けられる少なくとも一つの支持部材をさらに有する。
第二レールが支持台の支持通路内で可動すると、第二レールは、支持部材に接触し、支持台を連動し、ブラケット台に対して移動させ、且つ支持部材は第二レールを支持する。
【００１２】
最も好ましくは、シャーシは、第一部分と第二部分を有する。
第一部分の幅は、第二部分の幅より大きく、第三レールは、シャーシの第二部分の一側辺に取り付けられる。
【００１３】
本発明によるスライドレールキットは、第二レールに固定するように接触する接触部材をさらに有し、接触部材は、接触部を有する。
支持台は、接触部材の接触部に対応する第一特徴部を有し、これにより、第二レールが、第一レールに対して、第一延伸位置から第二延伸位置へと移動すると、支持台は、接触部材により連動され、ブラケット台に対して移動する。
【００１４】
本発明によるスライドレールキットにおいて、支持台は、第二レールに予め設置される接触部に対応する第二特徴部をさらに有する。
第二レールが、第二延伸位置から、第一レールに対して閉じられると、第二レールの接触部は、支持台の第二特徴部に接触し、これにより支持台は第二レールにより、ブラケット台に対して移動する。
【００１５】
本発明によるスライドレールキットは、第二レールに固定するように接触する接触部材をさらに有し、接触部材は、接触部を有する。
支持台は、相互に対応する第一端及び第二端を有する第一特徴部を有し、第一特徴部の第一端は、接触部材の接触部に対応する。
第一特徴部の第二端は、第二レールに予め設置される接触部に対応する。
【００１６】
本発明によるスライドレールキットにおいて、ブラケット台は、上壁、下壁及び側壁を有し、側壁は、上壁と下壁との間に延伸する。
支持台は、第一支持本体及び第二支持本体を有し、第一支持本体は、一対の湾曲部及び本体部を有する。
本体部は、一対の湾曲部との間に延伸して連接し、一対の湾曲部は、ブラケット台の上壁及び下壁を可動するように覆う。
本体部は、ブラケット台の側壁に接触し、第二支持本体は、第一支持本体に固定するように連接される。
第二支持本体は、第一レールの縦方向通路に対応する。
【００１７】
本発明の実施形態は、第二レールが第一レールに対して延伸位置に位置される時、支持台により第二レールを支えることができる効果を有する。  
【図面の簡単な説明】
【００１８】
【図１】従来の技術のスライドレールキットが延伸展開の状態にあり、且つ第二レールの部分レール段が第一レールに支持されていないことを示す模式的斜視図である。
【図２】本発明の第一実施形態のスライドレールキットが延伸展開の状態にあり、且つ支持台が第二レールを支持できることを示す模式的斜視図である。
【図３】本発明の第一実施形態のスライドレールキットの分解斜視図である。
【図４】本発明の第一実施形態のスライドレールキットを用いてシャーシをラックに取り付け、且つスライドレールキットが延伸展開の状態にある場合を示す模式図である。
【図５Ａ】本発明の第一実施形態のスライドレールキットが延伸展開の状態にあり、第三レールがシャーシの第二部分に取り付けられている場合を示す模式図である。
【図５Ｂ】本発明の第一実施形態のスライドレールキットが閉状態にあり、シャーシがラック内に収納される場合を示す模式図である。
【図６Ａ】本発明の第一実施形態のスライドレールキットが閉状態にあり、支持台が予定位置にあり、且つ第二レールが第一レールに対して閉位置にあることを示す模式図である。
【図６Ｂ】本発明の第一実施形態のスライドレールキットの第二レールが第一レールに対して縦方向に第一延伸位置まで移動し、且つ第二レールが支持台の一部に対応し、支持台に支持されることを示す模式図である。
【図７Ａ】本発明の第一実施形態のスライドレールキットの第二レールは支持台の支持通路を通過し、且つ支持台を第二支持位置まで連動することを示す模式図である。
【図７Ｂ】本発明の第一実施形態のスライドレールキットの第三レールが第二レールに対してさらに縦方向に移動し、これによりスライドレールキットが延伸展開の状態となることを示す模式図である。
【図８】支持部材が第二レールを支持できることを示す図６Ａの８−８線でカットした断面図である。
【図９】本発明の第二実施形態のスライドレールキットの模式図である。
【図１０】本発明の第三実施形態のスライドレールキットの模式的分解斜視図である。
【図１１Ａ】本発明の第三実施形態のスライドレールキットが閉状態にあり、且つ第二レールが第一レールに対して閉位置にあることを示す模式図である。
【図１１Ｂ】本発明の第三実施形態のスライドレールキットの第二レールが第一レールに対して第一延伸位置にあり、支持台と第二レールの接触部材が相互に接触することを示す模式図である。
【図１１Ｃ】図１１Ｂの局部拡大図である。
【図１１Ｄ】本発明の第三実施形態のスライドレールキットの第二レールが第一レールに対して第二延伸位置にあり、支持台が接触部材により一位置まで連動されることを示す模式図である。
【図１１Ｅ】本発明の第三実施形態のスライドレールキットの第二レールが第一レールに対して収納される時、第二レールの接触部と支持台とが相互に接触することを示す模式図である。
【図１１Ｆ】図１１Ｅの局部拡大図である。
【図１２Ａ】本発明の第四実施形態の接触部材と支持台との間の配置関係を示す模式図である。
【図１２Ｂ】本発明の第四実施形態の第二レールと支持台との間の配置関係を示す模式図である。
【図１３】本発明の第五実施形態のブラケット台と支持台との間の配置関係を示す模式図である。
【図１４】図１３中の１４−１４線でカットされた模式的断面図である。
【発明を実施するための形態】
【００１９】
（第一実施形態）
本発明の第一実施形態によるスライドレールキットを図面に基づいて説明する。
図２に示すとおり、本発明の第一実施形態のスライドレールキット２０は、第一レール２２、ブラケット台２４、支持台２６、第二レール２８、及び第三レール３０を有する。
【００２０】
ブラケット台２４は、第一端部３２、第一端部３２に相対する第二端部３４を有する。
第一端部３２と第二端部３４に隣接し、第一ブラケット３６と第二ブラケット３８をそれぞれ取り付ける。
例えば、第一ブラケット３６は、ブラケット台２４に隣接する第一端部３２に取り付けられ、第二ブラケット３８は、ブラケット台２４に隣接する第二端部３４に取り付けられる。
第一レール２２、第二レール２８、及び第三レール３０は順番に縦方向に可動するように連接し、延伸展開の状態を呈することができる。
【００２１】
図２と図３に示すとおり、第一レール２２は、上壁４０ａ、下壁４０ｂ、及び上壁４０ａと下壁４０ｂとの間に延伸する側壁４２を有する。
上壁４０ａ、下壁４０ｂ、及び側壁４２が、縦方向通路４４を共同で形成する。
【００２２】
ブラケット台２４は、第一レール２２に連接する。
例えば、ブラケット台２４は、リベット接合、ネジ接合、溶接、或いは係合接合等方式により、第一レール２２の側壁４２に連接する。
或いは、ブラケット台２４は、第一レール２２の側壁４２に成型され、第一レール２２の一部分と見做すことができるが、実施において制限されない。
本実施形態では、リベット接合部材４５により、ブラケット台２４を、第一レール２２にリベット接合する。
最も好ましくは、ブラケット台２４は、少なくとも一つの縦方向槽４６を有する。
ここでは、二つの縦方向槽４６を例とする。
各縦方向槽４６は、第一係止壁４８ａと第二係止壁４８ｂとの間に定義される。
【００２３】
支持台２６は、ブラケット台２４に可動するように取り付けられる。
支持台２６は、壁部５０、及び横方向に壁部５０に連接する少なくとも一つの支持部５２を有する。
ここでは、支持台２６は、一対の支持部５２を有することを例とする。
一対の支持部５２は、壁部５０の同側方向の上、下位置などの二つの位置にそれぞれ横方向に連接し、且つ相互に対応する。
壁部５０と一対の支持部５２との間には、支持通路５４を共同で定義し、支持通路５４は、第一レール２２の縦方向通路４４に対応する。
最も好ましくは、一対の支持部材５６をさらに有し、支持台２６の一対の支持部５２に取り付ける。
【００２４】
実施においては、各支持部材５６と各支持部５２とは、相互に対応する構造特徴を有する。
例えば、相互間に、相互に対応する凸体と孔の特徴を有し、これにより便利に相互に組合せることができる。
或いは、少なくとも一つの連接部材により、相互に組合せるが、実施においては制限されない。
支持台２６は、少なくとも一つの連接部材５８により、ブラケット台２４に可動するように取り付けられる。
例えば、各縦方向槽４６には、二つの連接部材５８を対応させられ、各連接部材５８は、頭部６０と頭部６０に連接する連接部６２を有し、且つ頭部６０の頭径サイズは、連接部６２の身径サイズより大きい。
連接部６２は、ブラケット台２４の縦方向槽４６を通過し、支持台２６の壁部５０に連接し、且つ頭部６０は、ブラケット台２４の片側に遮られる。
上記した配置において、支持台２６は、縦方向槽４６の長さに基づき、第一係止壁４８ａと第二係止壁４８ｂとの間で、ブラケット台２４に対して移動する。
【００２５】
第二レール２８は、第一レール２２に可動するように連接され、縦方向通路４４に位置する。
第二レール２８は、上壁６４ａ、下壁６４ｂ、及び上壁６４ａと下壁６４ｂとの間に延伸する側壁６６を有する。
【００２６】
図４に示すとおり、シャーシ６８は、一対のスライドレールキット２０によりラック７０に取り付けられる。
ラック７０は、二対のラック柱を有する。
例えば、二つの対応する第一ラック柱７２ａ、及び二つの対応する第二ラック柱７２ｂである。
各スライドレールキット２０の二つの部位（例えば、前部と後部）は、第一ブラケット３６と第二ブラケット３８により、ラック７０の第一ラック柱７２ａと第二ラック柱７２ｂにそれぞれ取り付けられる。
これにより、シャーシ６８は、ラック７０に取り付けられる。
具体的には、シャーシ６８は、スライドレールキット２０の第三レール３０に取り付けられる。
本実施形態では、シャーシ６８はおおよそＴ形を呈するシャーシである。
例えば、シャーシ６８は、第一部分７４と第二部分７６を有する。
第一部分７４は、第一幅Ｗ１を有し、第二部分７６は、第二幅Ｗ２を有する。
第一幅Ｗ１は、第二幅Ｗ２より大きい。
【００２７】
図５Ａは、スライドレールキット２０の延伸展開の状態を示す。
シャーシ６８の第一部分７４の幅Ｗ１は、第二部分７６の幅Ｗ２より大きく、第一部分７４は第二部分７６に比べ、プラスの厚さＳを有する。
よって、スライドレールキット２０の第三レール３０は制限され、シャーシ６８の第二部分７６の側辺７８に取り付けられる。
これにより、スライドレールキット２０が延伸展開の状態にある時、他の構成部材、例えば第二レール２８などにより、シャーシ６８が第三レール３０に加える重量を分担する必要がある。
第二レール２８が第一レール２２に相対し引き出され、延伸位置まで移動する過程において、第二レール２８は、支持台２６を貫通することができる。
支持台２６のブラケット台２４に可動するように連接する特性により、第二レール２８を支持することができ、第三レール３０が受け止めるシャーシ６８の重量に対応することができる。
【００２８】
図５Ｂは、スライドレールキット２０の閉状態を示す。
図に示すとおり、シャーシ６８は、ラック７０内に完全に収納される。
【００２９】
図６Ａは、スライドレールキット２０の閉状態を示す。
図に示すとおり、第二レール２８と第三レール３０とは、第一レール２２にそれぞれ対応し収納される。
この状態下で、支持台２６は、必要に応じて、ブラケット台２４に相対し、例えば、第二係止壁４８ｂに近い位置（図３参照）などの予定位置Ｐまで調整される。
また、第二レール２８は、第一レール２２に対して、閉位置Ｌに位置される。
【００３０】
図６Ｂに示すとおり、第三レール３０が第一レール２２に対して延伸方向（矢印参照）へと引き出され移動すると、第二レール２８は第三レール３０に連動される。
これにより、第二レール２８は第一レール２２に対して閉位置Ｌより縦方向に第一延伸位置Ｌ１まで移動する。
【００３１】
具体的には、第二レール２８が連動され移動する過程において、第二レール２８の一部分は、第一レール２２の縦方向通路４４内から伸び出し、縦方向に第一レール２２に相対し支持台２６の支持通路５４内へと移動する。
第二レール２８の上壁６４ａと下壁６４ｂとは、例えば、支持台２６に接触する一対の支持部材５６にそれぞれ対応する。
且つ第二レール２８は、支持台２６を、予定位置Ｐから、ブラケット台２４に対して、第一支持位置Ｐ１まで摩擦で連動する。
この対応状態下で、一対の支持部材５６は局部を用いて、第二レール２８の上壁６４ａと下壁６４ｂを支持できる。
操作者は、実際の必要に応じて、適当な厚さを備える支持部材５６を採用でき、起こり得る支持誤差の問題に対応或いは補うことができる。
これにより、各支持部材５６は確実に、且つ更に効果的に第二レール２８を支持することができる。
【００３２】
図７Ａに示すとおり、第二レール２８がさらに第三レール３０に連動され、第二延伸位置Ｌ２に位置される時、第二レール２８は、支持台２６の支持通路５４を通過し、さらに支持台２６を第一支持位置Ｐ１から、ブラケット台２４に対して、第一係止壁４８ａに近い位置（図３参照）などの第二支持位置Ｐ２まで摩擦で連動する。
支持台２６の一対の支持部材５６は、第二レール２８の上壁６４ａと下壁６４ｂを完全に支持することができる。
【００３３】
図７Ｂに示すとおり、第二レール２８が第二延伸位置Ｌ２に位置される時（例えば、第二レール２８が最大の延伸位置に位置される時）、第三レール３０はさらに引き出され、第二レール２８に対して縦方向に移動する。
これにより、スライドレールキット２０は、延伸展開の状態となる。
【００３４】
これにより分かるように、第二レール２８が第一レール２２に対して支持台２６の支持通路５４内へと移動する時、第二レール２８は、支持台２６により支持される。
よって、第三レール３０にシャーシ６８を取り付けた時（図４参照）、支持台２６は第二レール２８を支持できる。
これにより、第二レール２８は効果的にシャーシ６８の重量を分担できる。
注目に値する点は、第二レール２８が第一レール２２に相対し引き出され、延伸位置まで移動する過程において、支持台２６は、第二レール２８により摩擦で連動され移動するが、実務上は、第二レール２８は直接、支持台２６の支持通路５４を通過し、操作者が手動の方式で、支持台２６を適当な支持位置まで調整し、こうして第二レール２８を支持し、実際のニーズに対応することができる点である。
【００３５】
図８は、ブラケット台２４、支持台２６、及び第二レール２８の配置状態を示す。
詳述すれば、第二レール２８の上壁６４ａ、下壁６４ｂ、及び側壁６６は、縦方向通路８０を共同で形成し、第三レール３０を取り付けることができる。
例えば、縦方向通路８０内にはスライド補助部材８２をさらに取り付け、第三レール３０の第二レール２８に対する移動を助けることができる。
支持台２６は、ブラケット台２４に可動するように取り付けられ、且つ支持台２６の一対の支持部材５６は、第二レール２８の上壁６４ａと下壁６４ｂにそれぞれ接触し、第二レール２８を支持する。
【００３６】
図９は、本発明の第二実施形態のスライドレールキットの支持台２００の実施形態を示す。
具体的には、本実施形態の支持台２００と第一実施形態との差は以下のとおりである。
第二レール２０２が支持台２００の支持通路２０４を貫通する時、支持台２００の一対の支持部２０６は、第二レール２０２の上壁２０８ａ及び下壁２０８ｂと直接的に接触し、第二レール２０２を支持する。
【００３７】
図１０に示すとおり、本発明の第三実施形態のスライドレールキットは、第一レール３００、第二レール３０２、ブラケット台３０４及び支持台３０６を有する。
具体的には、本実施形態と第一実施形態との間の差異は、以下のとおりである。
本実施形態は、第二レール３０２に固定するように接触する接触部材３０８をさらに有し、接触部材３０８は、接触部３１０を有する。
また、支持台３０６は、支持台３０６に隣接する相対両端位置にそれぞれ位置する第一特徴部３１２及び第二特徴部３１４をさらに有する。
支持台３０６の第一特徴部３１２は、接触部材３０８の接触部３１０に対応する。
支持台３０６の第二特徴部３１４は、第二レール３０２に予め設置される接触部３１６に対応する。
【００３８】
注意すべき点は、接触部材３０８はおおよそ第二レール３０２の長さに従い、予定の長さに延伸配置される。
これにより、接触部材３０８は、第二レール３０２に補強の機能を提供する。
【００３９】
図１１Ａ、図１１Ｂ及び図１１Ｃに示すとおり、第二レール３０２が第一レール３００に対して閉位置Ｌから第一延伸位置Ｌ１まで移動した時、支持台３０６の第一特徴部３１２は、接触部材３０８の接触部３１０と接触する。
【００４０】
図１１Ｄに示すとおり、第二レール３０２がさらに第一レール３００に相対し第一延伸位置Ｌ１から延伸移動を継続すると、支持台３０６は、接触部材３０８により連動され移動する。
よって、上記した構成により、第二レール３０２が第一延伸位置Ｌ１から第二延伸位置Ｌ２まで移動する時、支持台３０６は確実に接触部材３０８により連動され移動する。
こうして、支持台３０６は予定の位置まで確実に移動し、第二レール３０２を支持することができる。
【００４１】
図１１Ｅ及び図１１Ｆに示すとおり、第二レール３０２が第二延伸位置Ｌ２から第一レール３００に相対してさらに収納されると、第二レール３０２の接触部３１６は、支持台３０６の第二特徴部３１４を係止する。
これにより、支持台３０６は、第二レール３０２によりさらに第一レール３００に対して、図１１Ａに示す位置へと移動する。
【００４２】
図１２Ａ及び図１２Ｂは、本発明の第四実施形態の第二レール４００と支持台４０２との間の配置関係を示す模式図である。
本実施形態と第三実施形態との差異は以下のとおりである。
支持台４０２の第一特徴部４０４は、相互に対応する第一端４０６ａ及び第二端４０６ｂを有する。
第一特徴部４０４の第一端４０６ａは、接触部材４０８の接触部４１０に対応する。
第一特徴部４０４の第二端４０６ｂは、第二レール４００の接触部４１２に対応する。
本実施形態の配置により、支持台４０２は第三実施形態に示す支持効果を同様に達成することができる。
【００４３】
図１３及び図１４は、本発明の第五実施形態のブラケット台５００と支持台５０２との間の配置関係を示す。
本実施形態と上記した実施形態との間の差異は、以下のである。
ブラケット台５００は、第一実施形態とは異なる（図３参照）。
ブラケット台２４は、二つの縦方向槽４６を有し、これに支持台２６を設置する。
本実施形態では、ブラケット台５００の本体に、支持台５０２を可動するように取り付ける。
【００４４】
具体的には、ブラケット台５００は、上壁５０４ａ、下壁５０４ｂ及び側壁５０６を有し、側壁５０６は、上壁５０４ａと下壁５０４ｂとの間に延伸する。
支持台５０２は、第一支持本体５０８及び第二支持本体５１０を有する。
第一支持本体５０８は、一対の湾曲部５１２及び本体部５１４を有する。
本体部５１４は、一対の湾曲部５１２との間に延伸して連接する。
一対の湾曲部５１２は、ブラケット台５００の上壁５０４ａ及び下壁５０４ｂを可動するように覆い、本体部５１４は、ブラケット台５００の側壁５０６に接触する。
第二支持本体５１０は、第一支持本体５０８に固定するように設置される。
第二支持本体５１０の配置は、前記の第三実施形態の支持台３０６に類似し、第二支持本体５１０は、第一レール５１６の縦方向通路５１８に対応するが、再記述はしない。
【００４５】
上記した各実施形態に示すとおり、本発明は、スライドレール間の延伸展開において支持効果を有し、異なる支持ニーズに応えることができ、手動による支持調整、或いはスライドレール移動に従った連動による支持構成を採用することができ、ブラケット台の規格に合った支持を実現することができる。
【００４６】
本発明の実施形態は前述したとおりであるが、前述は本発明に制約を加えるものではない。よって、本発明の保護される範囲は、特許請求の範囲を基準とすることをここに明記する。
【符号の説明】
【００４７】
１００  スライドレールキット、
１０２  第一レール、
１０４  第二レール、
１０６  第三レール、
１０８  部分レール段、
２０  スライドレールキット、
２２  第一レール、
２４  ブラケット台、
２６、２００  支持台、
２８、２０２  第二レール、
３０  第三レール、
３２  第一端部、
３４  第二端部、
３６  第一ブラケット、
３８  第二ブラケット、
４０ａ  上壁、
４０ｂ  下壁、
４２  側壁、
４４、８０  縦方向通路、
４５  リベット接合部材、
４６  縦方向槽、
４８ａ  第一係止壁、
４８ｂ  第二係止壁、
５０  壁部、
５２、２０６  支持部、
５４、２０４  支持通路、
５６  支持部材、
５８  連接部材、
６０  頭部、
６２  連接部、
６４ａ、２０８ａ  上壁、
６４ｂ、２０８ｂ  下壁、
６６  側壁、
６８  シャーシ、
７０  ラック、
７２ａ  第一ラック柱、
７２ｂ  第二ラック柱、
７４  第一部分、
７６  第二部分、
７８  側辺、
８２  スライド補助部材、
Ｌ  閉位置、
Ｌ１  第一延伸位置、
Ｌ２  第二延伸位置、
Ｐ  予定位置、
Ｐ１  第一支持位置、
Ｐ２  第二支持位置、
Ｓ  厚さ、
Ｗ１  第一幅、
Ｗ２  第二幅、
３００  第一レール、
３０２  第二レール、
３０４  ブラケット台、
３０６  支持台、
３０８  接触部材、
３１０、３１６  接触部、
３１２  第一特徴部、
３１４  第二特徴部、
４００  第二レール、
４０２  支持台、
４０４  第一特徴部、
４０６ａ  第一端、
４０６ｂ  第二端、
４０８  接触部材。
４１０、４１２  接触部、
５００  ブラケット台、
５０２  支持台、
５０４ａ  上壁、
５０４ｂ  下壁、
５０６  側壁、
５０８  第一支持本体、
５１０  第二支持本体、
５１２  湾曲部、
５１４  本体部、
５１６  第一レール、
５１８  縦方向通路。
【図１】
2016219775.tif 000003
【図２】
2016219775.tif 000004
【図３】
2016219775.tif 000005
【図４】
2016219775.tif 000006
【図５Ａ】
2016219775.tif 000007
【図５Ｂ】
2016219775.tif 000008
【図６Ａ】
2016219775.tif 000009
【図６Ｂ】
2016219775.tif 000010
【図７Ａ】
2016219775.tif 000011
【図７Ｂ】
2016219775.tif 000012
【図８】
2016219775.tif 000013
【図９】
2016219775.tif 000014
【図１０】
2016219775.tif 000015
【図１１Ａ】
2016219775.tif 000016
【図１１Ｂ】
2016219775.tif 000017
【図１１Ｃ】
2016219775.tif 000018
【図１１Ｄ】
2016219775.tif 000019
【図１１Ｅ】
2016219775.tif 000020
【図１１Ｆ】
2016219775.tif 000021
【図１２Ａ】
2016219775.tif 000022
【図１２Ｂ】
2016219775.tif 000023
【図１３】
2016219775.tif 000024
【図１４】
2016219775.tif 000025